(57)【要約】【課題】小型化を可能とする電気コネクタを提供する。【解決手段】本発明は、コンタクトと、コンタクトを収容する端子収容穴が形成された絶縁ハウジングと、を含む電気コネクタにおいて、前記コンタクトには、コンタクトを絶縁ハウジングに保持する保持部と、端子収容穴の一面の開口部から突出する接触部と、保持部と接触部との間を連接する弾性変形可能な弾性変形部と、が形成され、前記弾性変形部は、前記保持部に連接した第１湾曲部と前記接触部に連接した第２湾曲部とを有した略Ｓ字形状に形成され、前記弾性変形部の第１湾曲部には、前記接触部の自由端に対応する貫通溝が設けられる。相手側電気機器が接触して押圧し、前記弾性変形部を撓ませる。前記接触部の自由端が前記貫通溝までに入り込むことにより、コンタクトの高さが減少でき、電気コネクタの小型化に有利になる。【選択図】図３
2011134713.tif 000002
【特許請求の範囲】
【請求項１】
コンタクトと、コンタクトを収容する端子収容穴が形成された絶縁ハウジングと、を含む電気コネクタにおいて、
前記コンタクトには、コンタクトを絶縁ハウジングに保持する保持部と、前記端子収容穴の一面の開口部から突出する接触部と、前記保持部と前記接触部との間を連接する弾性変形可能な弾性変形部と、が形成され、
前記弾性変形部は、前記保持部に連接した第１湾曲部と、前記接触部に連接した第２湾曲部とを有した略Ｓ字形状に形成され、
前記弾性変形部の第１湾曲部には、前記接触部の自由端に対応する貫通溝が設けられることを特徴とする電気コネクタ。
【請求項２】
前記接触部の自由端に、前記第１湾曲部に対向するように配置される頭部が折曲がって形成さることを特徴とする請求項１に記載の電気コネクタ。
【請求項３】
前記接触部が「く」字形状を呈して、相手側電気機器が前記接触部を押圧して前記弾性変形部を撓ませて、これにより前記接触部の頭部が前記弾性変形部の貫通溝まで入り込むことを特徴とする請求項２に記載の電気コネクタ。
【請求項４】
前記絶縁ハウジングの各開口部の両側に、前記コンタクトの接触部を挟んでいる隔離壁がそれぞれ形成されることを特徴とする請求項１に記載の電気コネクタ。
【請求項５】
前記コンタクトは、前記保持部の一端から絶縁ハウジングの外側に突出する端子部を含み、
前記絶縁ハウジングには、回路基板に保持された半田部を備える保持金具が保持され、
前記コンタクトの端子部と保持金具の半田部とは、前記絶縁ハウジングの両側にそれぞれ配置されることを特徴とする請求項１に記載の電気コネクタ。
【発明の詳細な説明】
【技術分野】
【０００１】
本発明は、携帯電話機等の電気機器に取り付けられて、バッテリーパックのような相手側電気機器との接続用に用いられる電気コネクタに関するものである。
【背景技術】
【０００２】
従来、携帯電話機やその他の携帯電気機器は、機器を動作させる主電源として内部にバッテリーパックを内蔵し、このバッテリーパックと機器本体との電気的接続には、機器本体のプリント配線基板上に実装された電気コネクタによって行っている。特許文献１を参照して、この電気コネクタは導電性弾性材よりなるコンタクトと、このコンタクトを収容する絶縁材よりなるハウジングとを含む。コンタクトは、プリント配線基板の導電路に接続される端子部と、この端子部に連設されていてハウジングに保持される保持部と、バッテリーパックの電極部の押圧でこの電極部に接触する接触部と、保持部と接触部の間を連結する弾性変形可能な弾性変形部とを具備している。弾性変形部は、保持部との連結側を第１湾曲部とし、接触部との連結側を第２湾曲部とした略Ｓ字状に形成されている。前記接触部の先端部に抜け止め規制片が突出されている。前記ハウジングには、一方の面に開口されるコンタクト収容穴と、該コンタクト収容穴に連通する端子突出溝が設けられ、端子突出溝から接触部がハウジングの外側に突出するようになっている。
【０００３】
バッテリーバックをコンタクトの接触部に押し付け、バッテリーバックの導電パッドを接触部に弾性接触させることによって、バッテリーバックと電気機器とを電気的に接続し、バッテリーバックから電気機器へ電源を供給している。
【先行技術文献】
【特許文献】
【０００４】
【特許文献１】中国実用新型公告ＣＮ２５３１５８７Ｙ号明細書
【発明の開示】
【発明が解決しようとする課題】
【０００５】
しかしながら、バッテリーバックをコンタクトの接触部に当接してから両者の弾性接触が完了するまでの間に、前記抜け止め規制片が垂直方向で弾性変形部の第１湾曲部へ向けて変形しているが、前記第１湾曲部と抜け止め規制片との間に十分な間隔を設ける必要があり、電気コネクタ全体として小型化できないという問題点があった。
【０００６】
本発明は、係る点に鑑みてなされたものであり、小型化が可能になる電気コネクタを提供することを目的とする。
【課題を解決するための手段】
【０００７】
本発明は、コンタクトと、コンタクトを収容する端子収容穴が形成された絶縁ハウジングと、を含む電気コネクタにおいて、前記コンタクトには、コンタクトを絶縁ハウジングに保持する保持部と、端子収容穴の一面の開口部から突出する接触部と、保持部と接触との間を連接する弾性変形可能な弾性変形部と、が形成され、前記弾性変形部は、前記保持部に連接した第１湾曲部と前記接触部に連接した第２湾曲部とを有した略Ｓ字形状に形成され、前記弾性変形部の第１湾曲部には、前記接触部の自由端に対応する貫通溝が設けられることを特徴とする。
【発明の効果】
【０００８】
従来技術に比べ、本発明は以下の利点を有している。相手側電気機器がコンタクトに接触して押圧し、前記弾性変形部を撓ませる。前記接触部の自由端が前記貫通溝までに入り込むことにより、コンタクトの高さが減少でき、電気コネクタの小型化に有利になる。
【図面の簡単な説明】
【０００９】
【図１】本発明に係る電気コネクタの組立斜視図である。
【図２】図１に示す電気コネクタを他の角度から見た組立斜視図であるである。
【図３】本発明に係る電気コネクタの分解斜視図である。
【図４】本発明に係る電気コネクタのコンタクトの斜視図である。
【図５】図１に示す電気コネクタのА−А線に沿った断面図である。
【発明を実施するための形態】
【００１０】
以下、本発明についての実施形態を詳細に説明する。図１乃至図５を参照すると、本発明に係る電気コネクタ１００は回路基板に実装可能であり、絶縁材よりなる絶縁ハウジング１と、絶縁ハウジング１に収容され装着される複数のコンタクト２と、絶縁ハウジング１に固定され、電気コネクタを回路基板に実装するのに用いられる保持金具３と、を含む。また、明細書において、図３に示す、Ｘ方向は絶縁ハウジング１の長手方向として、Ｙ方向は、絶縁ハウジング１の前方向として、Ｚ方向は、絶縁ハウジング１の上方としている。
【００１１】
絶縁ハウジング１は、回路基板に対向する実装面１０２と、実装面１０２と反する嵌合面１０１とを含み、絶縁ハウジング１にはコンタクト２を収容する端子収容穴１０が形成され、各端子収容穴１０は嵌合面１０１において開口部１１が開口して形成され、また、端子収容穴１０が絶縁ハウジング１の後端壁を貫通している。絶縁本体１の嵌合面１０１には、開口部１１の両側から上向きに突出する隔離壁１１１がそれぞれ形成され、即ち、各開口部１１に一対の隔離壁１１１が対向するように配置される。
【００１２】
図４と図５を参照すると、コンタクト２は、導電性金属からなる板状材を打抜加工及び折曲加工することにより、絶縁ハウジング１に保持される保持部２１と、電気機器の回路基板の配線に半田付けなどで接続する端子部２２と、バッテリーパックの電極部の押圧で電極に接触する接触部２４と、前記保持部２１と接触部２４との間を連接する弾性変形可能な弾性変形部２３とを形成しており、前記接触部２４は、「く」字形状を呈することにより弾性変形能力を生じている。弾性変形部２３は、前記保持部２１との連接側を第１湾曲部２３１とし、接触部２４との連接側を第２湾曲部とした略Ｓ字形状に形成され、優れた弾性変形能力を有する。
【００１３】
前記接触部２４の自由末端には、前記第１湾曲部２３１に対向する頭部２４１が設けられ、第１湾曲部２３１の中央部には、接触部２４の頭部２４１に対応する貫通溝２３３が形成される。バッテリーパックが接触部２４を押圧して弾性変形部２３を撓ませて接触部２４とバッテリーパックとを弾性接触させる。バッテリーパックがコンタクト２に当接してから両者の弾性接触が完了するまでの間に、接触部２４の頭部２４１が第１湾曲部２３１へ向がって変形し移動する。最終的に、頭部２４１が第１湾曲部２３１の貫通溝２３３まで入り込むことによって、頭部２４１が第１湾曲部２３１に干渉し接触することが防止できる。接触部２４の頭部２４１には十分な変形な空間が提供され、これにより、接触部２４とバッテリーパックとの間の接触が安定になり、また、コンタクト２の高さが減少され、電気コネクタ１００の小型化に有利になる。
【００１４】
コンタクト２が後方から絶縁ハウジング１の端子収容穴１０に挿入され、前記接触部２４が開口部１１から絶縁ハウジング１の外側へ突出するようになって、各接触部２４の両側が絶縁ハウジング１の隔離壁１１１に挟まれていることにより、接触部２４が絶縁ハウジング１の長手方向に沿った偏りが防止できる。
【００１５】
前記保持金具３は、前方から絶縁ハウジング１に挿入されて保持され、絶縁ハウジング１に保持される固定部３１と、固定部３１から折曲がって絶縁ハウジング１の外側に突出する半田部３２とを含む。電気コネクタ１００が回路基板に実装される時に、保持金具３の半田部３２とコンタクト２の端子部２２とが回路基板にそれぞれ配置され、また、半田部３２と端子部２２とが絶縁ハウジング１の前後方向にそれぞれ配置されることにより、電気コネクタ１００を回路基板に安定して保持することに有利になる。
【００１６】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００１７】
１００  電気コネクタ  
１  絶縁ハウジング
１０  端子収容穴
１１  開口部
１１１  隔離壁
２  コンタクト
２１  保持部
２２  端子部
２３  弾性変形部
２３１  第１湾曲部
２３２  第２湾曲部
２４  接触部
２４１  頭部
３  保持金具
【図１】
2011134713.tif 000003
【図２】
2011134713.tif 000004
【図３】
2011134713.tif 000005
【図４】
2011134713.tif 000006
【図５】
2011134713.tif 000007